(57)【要約】【課題】この発明は、大きなものや重量のあるものを収納でき、しかも着用者が安定な姿勢を保ったまま楽に収納物を保持できる袋付き上衣を提供することを目的とする。【解決手段】上記の目的を解決するために、この発明の袋付き上衣１は、体の前面に当たる前身項２と、そで３と、前身項２に設けられた袋部４とを有し、袋部４がそで３に接続されていることを特徴とするものであり、袋部４がそで３に接続されているので、袋部４内の収納物の重さは着用者の肩および上腕部を介してほぼ真下に向いてかかり、着用者はその重量を楽に受け止めることができるとともに、自然で安定した体勢を保つことができる。【選択図】図１
2005240204.tif 000002
【特許請求の範囲】
【請求項１】
体の前面に当たる前身項と、そでと、前身項に設けられた袋部とを有し、袋部がそでに接続されていることを特徴とする袋付き上衣。
【請求項２】
袋部の口部にゴムが設けられている請求項１に記載の袋付き上衣。
【発明の詳細な説明】
【技術分野】
【０００１】
本発明は、前側に大きいものを収納できる袋部を有する上衣に関するものである。
【背景技術】
【０００２】
従来より、台所等で使用するエプロンには、前側に物を収納できるポケットがついているものはあった（特許文献１、特許文献２等）。これらのエプロンは、前身項にポケットが設けられているものであり、胴回りのひもでエプロンを体に固定するようになっており、作業に必要なものを携帯し、簡単に取り出したり収納できるので便利である。
【特許文献１】実開昭５７−１９２９１６号公報
【特許文献２】特開２００１−２４８００４号公報
【発明の開示】
【発明が解決しようとする課題】
【０００３】
特許文献１、特許文献２に記載されているポケット付きエプロン等、従来のエプロンは、体の前面に当たる前身項に小さなポケットが設けられているものであり、小さく軽量なものを収納するものである。また、このポケットが前身項によってのみ支持されている構造では、仮にポケットを大きくしても、体積が大きく重量のあるものを入れるとポケットの前側が開いてしまい、手で押さえるか、体を後ろにそらすような体勢をとらない限り、収納物を保持することはできない。
【０００４】
ポケットを深くすることによってある程度は収納物の飛び出しを防止することができるにしても、収納物の重量によって、着用者は前に引っ張られるような力を受けるので、長時間保持しつづけることは相当の負担である。さらに、不安定な体勢を強いられるので、作業を自由に行うことが困難である。
【０００５】
この発明は、大きなものや重量のあるものを収納でき、しかも着用者が安定な姿勢を保ったまま楽に収納物を保持できる袋付き上衣を提供することを目的とする。
【課題を解決するための手段】
【０００６】
上記の目的を解決するために、この発明の袋付き上衣は、体の前面に当たる前身項と、そでと、前身項に設けられた袋部とを有し、袋部がそでに接続されていることを特徴とするものである。さらに、袋部の口部にゴムが設けたものとすることもできる。
【発明の効果】
【０００７】
この発明の袋付き上衣においては、袋部がそでに接続されているので、袋部内の収納物の重さは着用者の肩および上腕部を介してほぼ真下に向いてかかり、着用者はその重量を楽に受け止めることができるとともに、自然で安定した体勢を保つことができる。したがって、大きなものや重量があるものを長時間楽に保持したり、その状態で自由に行動することができるという効果を有する。
【発明を実施するための最良の形態】
【０００８】
この発明を実施するための最良の形態を図面に基づいて説明する。図１は袋付き上衣を示す正面図である。この発明の袋付き上衣１は、体の前面に当たる前身項２と、そで３と、前身項２に設けられた袋部４とを有する。前身項２は、着用する者の体の前面を一定程度覆うものであればよいが、肩からひざ近くまで覆うような長いものでもよい。そで３は、手首まで伸びた長そででもよいが、半そででもよく、上腕部のうちでも特に肩に近い当たりまであればよい。
【０００９】
上記の通り、本発明において上衣はそでを有するものであり、前掛けのように腰より下のみを覆うようなものではない。しかし、上衣として着用するものであれば特に用途は限定されず、調理場で着用するもの以外にも、新生児や子供、或いはペットを抱くときに着用するものや作業着も含まれる。
【００１０】
袋部４は、前身項２に設けられている。概略袋の形状を有して中にものを収納できるものであればよく、完全に下部が閉じているものだけではなく、底部や側部にある程度穴が設けられていてもよい。台所用エプロン等に設けられているポケットに比べると幅も深さも大きいものであり、十分な収納力がある。そして、この袋部４の左右の上部とそでの下部は接続されている。この接続は縫製によって行ってもよく、ファスナーやボタン等によって着脱可能にしてもよい。
【００１１】
使用者は前身項２を体の前面に向けて、左右の腕をそで３に通す。ついで、後身項に設けられている２本のひも５を結ぶことにより袋付き上衣１を着用する。この着用の仕方は通常の割烹着の場合と特に変わることはない。このように着用して、袋部４が着用者の腹部当たりに位置することになるので、ものを袋部４に入れたり取り出したりすることができる。袋部４は容積が大きいので、容量の大きいものも収納できる。袋部４の内部に収納されたものの荷重は袋付き上衣１を介して着用者にかかる。本発明においては、袋部４は前身項２に接続されていることに加えて、口部の左右付近がそで３の底部に接続されている。着用者が立った状態においては、ものを収納した袋部４による荷重はそで３を介して着用者の肩から上腕部にほぼ真下に向いてかかることになる。このような荷重は着用者にとって負担が小さいので、収納物を長時間保持し続けてもあまり疲れない。また、収納物の荷重は袋の底を真下に押すようにかかり、袋部の前面を前に引っ張るような荷重は生じない。したがって、袋部４の口が開いて収納物が外に落ちるようなことが起こらず、手で袋部４を押さえる必要がない。着用者を前に向いて引っ張るような力もかからない。着用者は、袋部４内に重量物を収納したままでも自然な体勢を保つことができ、両手も自由であるので、行動が自由であり、さまざまな作業を安全かつ楽に行うこともできる。
【実施例１】
【００１２】
つぎに、この発明の第１の実施例について説明する。図３は袋付き上衣１で腕を下げた状態を示す正面図である。
【００１３】
図１、図３に示すように、この実施例において袋部４は上部の口部以外は閉じた袋となっている。袋部４の口部にゴム６が設けられている。図３に示すように通常の体勢では着用者の腕は下げられていて、このゴム６によって口部は閉じられるので、収納物の落下はさらに起こりにくくなっている。そして、収納物を取り出そうとして手を袋部４の口部へ動かすと、上腕部も自然に持ち上がり、そで３との接続部を介して袋部４の口部は左右に引っ張られる。口部はゴム６によって閉じられているだけなので自然に開き、着用者は袋部４の中のものを容易に取り出すことができる（図１）。
【００１４】
この実施例は、料理用エプロン等として利用するのに適しているが、それ以外にも例えば、袋部４の中にペットを入れて抱くのに使う抱っこエプロンとして適用してもよい。この場合、前身項２は体の前面をなるべく広く覆うものが適している。５ｋｇを超えるような比較的重いペットを入れても、楽に抱くことができる。立位でも安定した自然な体勢がとれる上、両手が自由になっているので、ペットを抱いたままでも歩いたり、さまざまな作業をすることもできる。また、体の前面は前身項２で覆われているので、下に着ている衣類にペットの毛が付かない。
【００１５】
さらに、この袋付き上衣１は新生児の授乳用にも使用することができる。この場合、袋部４は新生児の体が入る大きさにする。そして、新生児を袋部４に入れたときに、新生児の顔が授乳しやすい位置になるように袋部４の位置を設定する。前身項２に前明きや前ファスナーなどを設けて胸部を開くことができるようにすれば、母乳の授乳がしやすくなる。また、哺乳瓶で授乳する場合には通常のやり方では利き手で哺乳瓶を持ち他の手で新生児の体を支持するので両手ともふさがるが、本実施例の袋付き上衣１を使用すれば、新生児は袋部４によって支持されるので、一方の手が自由になる。そのために、電話がかかってきた場合でも、授乳を続けながら電話に応対することができる。
【実施例２】
【００１６】
この発明の第２の実施例について説明する。図４は本実施例における袋部４を示す正面図である。この実施例は第１の実施例の変形例である。袋部４は底にファスナー等の開閉手段７が設けられている。開閉手段７によって底部を開くことができるので、袋部４内にたまったゴミを掃除するのが容易になる。また、重たい物を収納した場合に、下部を開放して下から取り出すこともできる。
【実施例３】
【００１７】
この発明の第３の実施例について説明する。図５は本実施例における袋部４を示す正面図である。この実施例は、子供を抱きかかえる用途に本発明を適用した例である。袋部４の口部は、子供の腰が入る程度の大きさになっており、底部には子供の足が通るだけの穴８が２つあけられている。子供の足を底部の穴８に入れ、腰部を袋部４の中に入れることによって、子供を抱きかかえる。口部は補強材９で補強されており、子供の重量に耐えるようになっている。本実施例でも、袋部４の左右はそで３に接続されており、子供の体重は真下に向いてかかるので、着用者が楽に支えることができる。また、両手が自由に使えるので、子供を抱いた状態で家事を行うことができる。図５の例では、袋部４の上部にベルト１０が設けられており、このベルト１０を体の後ろに回し、体の後ろで留めることによって子供をより確実に支持できるようになっている。
【産業上の利用可能性】
【００１８】
この発明の袋付き上衣は、前身項に設けられた袋部の一部をそでに接続することによって、袋部に重量物を入れても安定した体勢で楽に支えることができ、調理用エプロン、作業着、授乳用上衣、赤ちゃんのだっこ用上衣、ペットを抱くためのだっこエプロン等、上衣として広く利用できるものである。
【図面の簡単な説明】
【００１９】
【図１】袋付き上衣で腕を上げた状態を示す正面図である。
【図２】同背面図である。
【図３】袋付き上衣で腕を下げた状態を示す正面図である。
【図４】袋部の例を示す正面図である。
【図５】袋部の別の例を示す正面図である。
【符号の説明】
【００２０】
１．袋付き上衣
２．前身項
３．そで
４．袋部
６．ゴム
【図１】
2005240204.tif 000003
【図２】
2005240204.tif 000004
【図３】
2005240204.tif 000005
【図４】
2005240204.tif 000006
【図５】
2005240204.tif 000007